【手続補正書】
【提出日】平成24年8月24日(2012.8.24)
【手続補正１】
【補正対象書類名】特許請求の範囲
【補正対象項目名】全文
【補正方法】変更
【補正の内容】
【特許請求の範囲】
【請求項１】
基体の一方の主面に、金属細線による２以上の導電性の第１大格子が形成され、
前記基体の他方の主面に、金属細線による２以上の導電性の第２大格子が形成され、
各前記第１大格子及び各前記第２大格子は、それぞれ２以上の小格子が組み合わされて構成され
前記第１大格子の辺の周囲に、前記第１大格子と非接続とされた金属細線による第１非接続パターンが形成され、
前記第２大格子の辺の周囲に、前記第２大格子と非接続とされた金属細線による第２非接続パターンが形成され、
上面から見たとき、前記第１大格子に隣接して前記第２大格子が配置された形態とされ、
前記第１大格子と前記第２大格子との間に、前記第１非接続パターンと前記第２非接続パターンとが対向することによる組合せパターンが形成され、
前記組合せパターンは、２以上の小格子が組み合わされて構成されていることを特徴とする導電シート。
【請求項２】
請求項１記載の導電シートにおいて、
前記第１大格子の辺における直線部と前記第２大格子の辺における直線部間の投影距離が前記小格子のサイズに基づいて設定されていることを特徴とする導電シート。
【請求項３】
請求項１記載の導電シートにおいて、
前記第１大格子の辺と該辺と対向する前記第２大格子の辺との最短距離を前記基体の一方の主面に投影した距離を前記組合せパターンの幅と定義したとき、
前記組合せパターンの幅は、前記小格子の辺の長さの１倍以上の長さを有することを特徴とする導電シート。
【請求項４】
請求項３記載の導電シートにおいて、
前記組合せパターンの幅は、前記小格子の辺の長さの２倍〜１０倍の長さを有することを特徴とする導電シート。
【請求項５】
請求項１記載の導電シートにおいて、
前記第１非接続パターンは、それぞれ前記小格子の一部を除去した形状が２以上、前記第１大格子の辺に沿って配列された形状を有し、
前記第２非接続パターンは、それぞれ前記小格子の一部を除去した形状が２以上、前記第２大格子の辺に沿って配列された形状を有することを特徴とする導電シート。
【請求項６】
請求項５記載の導電シートにおいて、
前記小格子の形状が正方形であり、
前記第１非接続パターン及び前記第２非接続パターンは、それぞれ前記小格子の１つの辺を除去した形状が２以上配列された形状を有することを特徴とする導電シート。
【請求項７】
請求項１記載の導電シートにおいて、
前記基体の一方の主面に、隣接する前記第１大格子間を電気的に接続する金属細線による第１接続部が形成され、
前記基体の他方の主面に、隣接する前記第２大格子間を電気的に接続する金属細線による第２接続部が形成され、
２以上の前記第１大格子が前記第１接続部を介して第１方向に配列されて１つの第１導電パターンが構成され、
２以上の前記第２大格子が前記第２接続部を介して前記第１方向と直交する第２方向に配列されて１つの第２導電パターンが構成され、
２以上の前記第１導電パターンが前記第２方向に配列され、
２以上の前記第２導電パターンが前記第１方向に配列され、
前記第１接続部と前記第２接続部とが前記基体を間に挟んで対向し、
隣接する前記第１導電パターン間は電気的に絶縁された第１絶縁部が配され、
隣接する前記第２導電パターン間は電気的に絶縁された第２絶縁部が配され、
前記第１接続部と前記第２接続部とが前記基体を間に挟んで対向し、
前記第１絶縁部と前記第２絶縁部とが前記基体を間に挟んで対向し、
前記第１接続部と前記第２接続部とが対向することによる組合せパターンは２以上の小格子が組み合わされて構成されていることを特徴とする導電シート。
【請求項８】
請求項７記載の導電シートにおいて、
前記第１絶縁部は、前記第１大格子と非接続とされた金属細線による第１絶縁パターンが形成され、
前記第２絶縁部は、前記第２大格子と非接続とされた金属細線による第２絶縁パターンが形成され、
前記第１絶縁部と前記第２絶縁部とが対向することによる前記第１絶縁パターンと前記第２絶縁パターンとの組合せパターンは２以上の小格子が組み合わされて構成されていることを特徴とする導電シート。
【請求項９】
請求項８記載の導電シートにおいて、
前記第１絶縁パターンは、２以上の前記小格子が配列された集合部分を有し、
前記第２絶縁パターンは、前記集合部分に対応した空白部分を有することを特徴とする導電シート。
【請求項１０】
請求項８記載の導電シートにおいて、
前記第１絶縁パターンは、前記小格子を構成する２つの辺が連続して配列された波線部分を有し、
前記第２絶縁パターンは、前記小格子を構成する連続する２つの辺が配列され、且つ、前記第１絶縁パターンの前記波線部分とは逆パターンの波線部分を有することを特徴とする導電シート。
【請求項１１】
請求項７〜１０のいずれか１項に記載の導電シートにおいて、
前記小格子の配列ピッチをＰとし、隣接する前記第１導電パターン間の最短距離を前記第１絶縁部の幅と定義したとき、前記第１絶縁部の幅はｍ×Ｐ（ｍは１以上の整数）であり、且つ、前記第１絶縁パターンのうち、前記第１絶縁部の幅の方向の部分の最大長さがｍ×Ｐ以下であり、
隣接する前記第２導電パターン間の最短距離を前記第２絶縁部の幅と定義したとき、前記第２絶縁部の幅はｎ×Ｐ（ｎは１以上の整数）であり、且つ、前記第２絶縁パターンのうち、前記第２絶縁部の幅の方向の部分の最大長さがｎ×Ｐ以下であることを特徴とする導電シート。
【請求項１２】
請求項１記載の導電シートにおいて、
前記小格子は多角形状であることを特徴とする導電シート。
【請求項１３】
請求項１記載の導電シートにおいて、
前記小格子は少なくとも一辺が湾曲形状を有することを特徴とする導電シート。
【請求項１４】
請求項１記載の導電シートにおいて、
前記小格子は少なくとも一辺が円弧形状を有することを特徴とする導電シート。
【請求項１５】
基体の一方の主面に、金属細線による２以上の導電性の第１大格子が形成され、
前記基体の他方の主面に、金属細線による２以上の導電性の第２大格子が形成され、
各前記第１大格子及び各前記第２大格子は、それぞれ２以上の小格子が組み合わされて構成され、
前記第１大格子の辺の周囲に、前記第１大格子と非接続とされた金属細線による第１非接続パターンが形成され、
前記第２大格子の辺の周囲に、前記第２大格子と非接続とされた金属細線による第２非接続パターンが形成され、
上面から見たとき、前記第１大格子に隣接して前記第２大格子が配置された形態とされ、
前記第１大格子と前記第２大格子との間に、前記第１非接続パターンと前記第２非接続パターンとが対向することによる組合せパターンが形成され、
前記組合せパターンは、各前記第１大格子及び各前記第２大格子の内部と略同様のパターンとなるように組み合わされて構成されていることを特徴とする導電シート。
【請求項１６】
請求項１５記載の導電シートにおいて、
前記第１大格子の辺における直線部と前記第２大格子の辺における直線部間の投影距離が前記小格子のサイズに基づいて設定されていることを特徴とする導電シート。
【請求項１７】
表示装置の表示パネル上に配置されるタッチパネルの導電シートであって、
第１基体と、該第１基体の主面に形成された第１導電部とを有する第１導電シートと、
第２基体と、該第２基体の主面に形成された第２導電部とを有する第２導電シートとを有し、
前記第２導電シート上に前記第１導電シートが積層され、
前記第１導電部は、それぞれ第１方向に延在し、且つ、前記第１方向と直交する第２方向に配列された金属細線による２以上の第１導電パターンを有し、
前記第２導電部は、それぞれ第２方向に延在し、且つ、前記第１方向に配列された金属細線による２以上の第２導電パターンを有し、
前記第１導電パターンは、２以上の第１大格子が前記第１方向に配列されて構成され、
前記第２導電パターンは、２以上の第２大格子が前記第２方向に配列されて構成され、
前記第１大格子の辺の周囲に、前記第１大格子と非接続とされた金属細線による第１非接続パターンが形成され、
前記第２大格子の辺の周囲に、前記第２大格子と非接続とされた金属細線による第２非接続パターンが形成され、
上面から見たとき、前記第１大格子に隣接して前記第２大格子が配置された形態とされ、
前記第１大格子と前記第２大格子との間に、前記第１非接続パターンと前記第２非接続パターンとが対向することによる組合せパターンが形成され、
前記組合せパターンは、２以上の小格子が組み合わされて構成されていることを特徴とする導電シート。
【請求項１８】
請求項１７記載の導電シートにおいて、
前記第１導電部は、さらに、各前記第１導電パターンの端部に接続された第１端子配線パターンと、前記第１導電シートの１つの辺の長さ方向中央部分に形成され、対応する前記第１端子配線パターンが接続された複数の第１端子とを有し、
前記第２導電部は、さらに、各前記第２導電パターンの端部に接続された第２端子配線パターンと、前記第２導電シートの１つの辺の長さ方向中央部分に形成され、対応する前記第２端子配線パターンが接続された複数の第２端子とを有することを特徴とする導電シート。
【請求項１９】
請求項１８記載の導電シートにおいて、
前記第１導電シート及び前記第２導電シートを上面から見たとき、
複数の前記第１端子が配列された部分と、複数の前記第２端子が配列された部分とが隣接していることを特徴とする導電シート。
【請求項２０】
請求項１８記載の導電シートにおいて、
各前記第１導電パターンの端部と対応する前記第１端子配線パターンとがそれぞれ第１結線部を介して接続され、
各前記第２導電パターンの端部と対応する前記第２端子配線パターンとがそれぞれ第２結線部を介して接続され、
複数の前記第１結線部が前記第２方向に沿って直線状に配列され、
複数の前記第２結線部が前記第１方向に沿って直線状に配列されていることを特徴とする導電シート。
【請求項２１】
請求項１〜２０のいずれか１項に記載の導電シートにおいて、
前記金属細線の線幅が１〜１５μｍであることを特徴とする導電シート。
【請求項２２】
請求項１〜２１のいずれか１項に記載の導電シートにおいて、
前記導電シートの表面抵抗は０．１〜１００オーム／ｓｑ．の範囲にあることを特徴とする導電シート。
【請求項２３】
それぞれ２以上の小格子が組み合わされて構成された金属細線による２以上の導電性の第１大格子を有する第１導電シートと、
それぞれ２以上の小格子が組み合わされて構成された金属細線による２以上の導電性の第２大格子を有する第２導電シートとを使用する導電シートの使用方法であって、
前記第１大格子の辺の周囲に、前記第１大格子と非接続とされた金属細線による第１非接続パターンが形成され、
前記第２大格子の辺の周囲に、前記第２大格子と非接続とされた金属細線による第２非接続パターンが形成され、
前記第１導電シートと前記第２導電シートとを組み合わせることで、前記第１大格子に隣接して前記第２大格子が配置されると共に、前記第１非接続パターンと前記第２非接続パターンとが組み合わさって前記小格子の配列が形成されるように配置されることを特徴とする導電シートの使用方法。
【請求項２４】
請求項２３記載の導電シートの使用方法において、
前記第１導電シートにおける隣接する前記第１大格子間を電気的に接続する金属細線による第１接続部が形成され、２以上の前記第１大格子が前記第１接続部を介して第１方向に配列されて１つの第１導電パターンが構成され、２以上の前記第１導電パターンが前記第１方向と直交する第２方向に配列され、
前記第２導電シートにおける隣接する前記第２大格子間を電気的に接続する金属細線による第２接続部が形成され、２以上の前記第２大格子が前記第２接続部を介して前記第２方向に配列されて１つの第２導電パターンが構成され、２以上の前記第２導電パターンが前記第１方向に配列され、
前記第１導電シートと前記第２導電シートとを組み合わせることで、前記第１接続部と前記第２接続部とが組み合わさって前記小格子の配列が形成されるように配置されることを特徴とする導電シートの使用方法。
【請求項２５】
請求項２４記載の導電シートの使用方法において、
前記第１導電シートにおける隣接する前記第１導電パターン間に、電気的に絶縁された第１絶縁部が配され、前記第１絶縁部に、前記第１大格子と非接続とされた金属細線による第１絶縁パターンが形成され、
前記第２導電シートにおける隣接する前記第２導電パターン間に、電気的に絶縁された第２絶縁部が配され、前記第２絶縁部に、前記第２大格子と非接続とされた金属細線による第２絶縁パターンが形成され、
前記第１導電シートと前記第２導電シートとを組み合わせることで、前記第１絶縁パターンと前記第２絶縁パターンとが組み合わさって前記小格子の配列が形成されるように配置されることを特徴とする導電シートの使用方法。
【請求項２６】
請求項１〜２２のいずれか１項に記載の導電シートを有することを特徴とする静電容量方式タッチパネル。